(57)【要約】【課題】  開口部方向に進んできた光を開口部と反対方向に散乱反射し、ＬＥＤ等の光源を出射面から観測されることなく高輝度な光を出射する。【解決手段】  光源装置２は、開口部５から広がった光や隣り合う開口部５の間や開口部５以外に到達した光等を効率良く無駄なく利用するため、底部７に載置した半導体発光素子４からの放射光を底部７に対向する開口部５から出射する開口部５の数に対して１つ増した数の散乱反射部６を開口部５に隣接するとともに開口部５表面位置と同等位置に設ける。【選択図】    図１
2005302322.tif 000002
【特許請求の範囲】
【請求項１】
底部に載置した半導体発光素子からの放射光を前記底部に対向する開口部から出射する光源装置において、
前記開口部の数に対して１つ増した数の散乱反射部を前記開口部に隣接するとともに前記開口部表面位置と同等位置に設けることを特徴とする光源装置。
【請求項２】
底部に載置した半導体発光素子からの放射光を前記底部に対向する開口部から出射する前記開口部の数に対して１つ増した数の散乱反射部を前記開口部に隣接するとともに前記開口部表面位置と同等位置に設けた光源装置と、
該光源装置からの出射光を導く入射部と、該入射部の反対側に位置する反射端面部と、光偏向素子が設けられ前記入射部と前記反射端面部とに略直角に接続する表面部および裏面部とからなる導光板と、
少なくともこれら光源装置と導光板を収納するケースとを具備し、
前記光源装置を前記導光板の前記入射部に近接し前記開口部からの光を前記入射部から導き前記光偏向素子により前記導光板の外部に出射した以外の光を前記反射端面部で前記入射部方向に反射し、前記入射部に達した光を前記散乱反射部で散乱反射して再度前記導光板内に光を戻して、前記反射端面部と前記散乱反射部との光の繰り返しの間に前記光偏向素子によって前記表面部および／または前記裏面部から光を出射することを特徴とする平面照明装置。
【請求項３】
少なくとも１以上の光源装置と、
該光源装置からの出射光を導く入射部と、該入射部の反対側に位置する反射端面部と、光偏向素子が設けられ前記入射部と前記反射端面部とに略直角に接続する表面部および裏面部とからなる導光板と、
前記導光板の前記入射部に近接するとともに前記光源装置に並設し前記反射端面部からの反射光を再び前記導光板に散乱反射する前記光源装置の数よりも１つ多い散乱反射部と、
少なくともこれら光源装置と導光板と散乱反射部を収納するケースとを具備し、
前記光源装置からの光を前記導光板の前記入射部から導き前記光偏向素子により前記導光板の外部に出射した以外の光を前記反射端面部で前記入射部方向に反射し、前記入射部に達した光を前記散乱反射部で散乱反射して再度前記導光板内に光を戻して、前記反射端面部と前記散乱反射部との光の繰り返しの間に前記光偏向素子によって前記表面部および／または前記裏面部から光を出射することを特徴とする平面照明装置。
【請求項４】
少なくとも１以上の光源装置と、
該光源装置からの出射光を導く入射部と、該入射部の反対側に位置する反射端面部と、光偏向素子が設けられ前記入射部と前記反射端面部とに略直角に接続する表面部および裏面部とからなる導光板と、
少なくともこれら光源装置と導光板を収納するとともに前記導光板の前記入射部に近接し前記光源装置に隣接した位置に前記反射端面部からの反射光を再び前記導光板に散乱反射する散乱反射部を前記光源装置の数よりも１つ多く設けたケースとを具備し、
前記光源装置からの光を前記導光板の前記入射部から導き前記光偏向素子により前記導光板の外部に出射した以外の光を前記反射端面部で前記入射部方向に反射し、前記入射部に達した光を前記散乱反射部で散乱反射して再度前記導光板内に光を戻して、前記反射端面部と前記散乱反射部との光の繰り返しの間に前記光偏向素子によって前記表面部および／または前記裏面部から光を出射することを特徴とする平面照明装置。
【請求項５】
前記導光板は、前記表面部から前記裏面部までの厚さが前記入射部の方が前記反射端面部よりも薄いテーパ形状、前記表面部から前記裏面部までの厚さが前記入射部の方が前記反射端面部よりも厚いテーパ形状、前記表面部から前記裏面部までの厚さが前記入射部と前記反射端面部とで等しいフラット形状の何れか１つであることを特徴とする請求項２〜４の何れかに記載の平面照明装置。
【請求項６】
前記導光板は、前記入射部を前記表面部から前記裏面部方向に対して傾斜し、前記光源装置の前記開口部表面位置に対し非平行になることを特徴とする請求項２〜４の何れかに記載の平面照明装置。
【発明の詳細な説明】
【技術分野】
【０００１】
本発明は、光源装置の開口部に隣接し開口部表面位置と同等位置に、導光板の入射部から一度導光板内に進入した光が入射部に対向する導光板の端面で入射部方向に反射した光を再び導光板内に戻すための散乱反射部を設けた光源装置に関する。
【０００２】
また、この光源装置を用いた平面照明装置や導光板の入射部に近接し光源装置に隣接した位置に散乱反射部を設けたり、ケース内で導光板の入射部に近接し光源装置に並設した位置に散乱反射部を設けることによって、光源装置からの光を導光板の入射部から一度導光板内に進入し、入射部に対向する導光板の端面で入射部方向に反射した光を再び導光板内に戻すことにより、光源装置からの光を入射部と入射部に対向する反射端面部との間を導光板の表面部や裏面部に施した光偏向素子によって導光板の外部に出射されるまで光を繰り返し利用することによって高輝度で光源装置の光源（ＬＥＤ等）を出射面から観測されない平面照明装置に関する。
【背景技術】
【０００３】
従来の光源装置としては、放射光を導光板等の中に多く進入させるため、導光板中に勘合するようにして全てに透明材を用いたものが知られている。さらに、より多くの光源を使用できるように光源装置を小型化し、出射部以外の部分を極力省略した光源装置も知られている。
【０００４】
また、光源装置からの光を表面部等から出射させるために、導光板を入射部から離れる程、導光板の厚さを薄くなるように楔形状にして、入射部からの光をテーパーリークさせて出射光を多く出射させる構成の平面照明装置が知られている。
【０００５】
さらに、光源装置に使用されている光源が半導体発光素子（ＬＥＤ等）であるために指向性が強く、導光板の中心位置に特に輝度やエネルギ値の高い光が直進し、導光板の入射部の反対側方向に進む。このため、入射部分で拡散するように入射部を表面部から裏面部方向に稜を持つプリズム加工を施して導光板内に入射するときに光を拡散する構成の平面照明装置が知られている。
【特許文献１】特開平１０−２９３２０２号公報
【発明の開示】
【発明が解決しようとする課題】
【０００６】
上述した従来の光源装置として、放射光を導光板等の中に多く進入させるため、導光板中に勘合するようにして全てに透明材を用いているものでは、光源からの光の指向性がそのままの状態で導光板内に進入する。このため、指向性に反映したそのままの出射光を得てしまい、光の斑が出来てしまう課題と導光板の中心部分に侵入した直線光の利用が少ない課題がある。
【０００７】
さらに、より多くの光源を使用できるように光源装置を小型化し、出射部以外の部分を極力省略した光源装置では、一定の輝度斑の無いようにするため、光源をアレー状に並べて使用しなければならず、この場合には高輝度の出射光を得ることができるが、多数の光源使用や電力等の経済性に課題がある。また、このような光源装置では、導光板の入射部が光源装置よりも大きな場合に、光源装置の無い部分の入射部に、一度導光板内に侵入した光が入射部に対向する導光板の端面で入射部方向に反射し、入射部に達した時、光が入射部から外部に漏れてしまう課題がある。
【０００８】
また、従来の平面照明装置として、光源装置からの光を表面部等から出射させるために、導光板を入射部から離れる程、導光板の厚さを薄くなるように楔形状にして、入射部からの光をテーパーリークさせて出射光を多く出射させる構成の平面照明装置では、導光板のテーパによって入射部から直ちに出射され明るい出射光を得ることができる。従って、光源がＣＣＦＬ等の散乱光である場合には大変有効であるが、光源が半導体発光素子（ＬＥＤ等）である場合には、光源（ＬＥＤ等）を出射面から観測され、大変見栄えの悪くなる課題がある。
【０００９】
さらに、光源装置に使用されている光源が半導体発光素子（ＬＥＤ等）であるために指向性が強く、導光板の中心位置に特に輝度やエネルギ値の高い光が直進し、導光板の入射部の反対側方向に進む。このため、入射部分で拡散するように入射部を表面部から裏面部方向に稜を持つプリズム加工を施して導光板内に入射するときに光を拡散する構成の平面照明装置では、厚さに対する横方向に対しては拡散効果が得ることができるが、厚さ方向に対しては拡散されず、横方向に進んだ光の一部分は導光板の側面部部分から外部に漏れてしまう。その結果、出射面からの出射光量が期待するほど得ることができない課題がある。
【００１０】
本発明は、上記のような課題を解決するためになされたもので、光源装置の開口部から放射し、導光板の入射部から一度導光板内に進入し入射部に対向する導光板の端面で入射部方向に反射した光を光源装置の開口部に隣接し開口部表面位置と同等位置に散乱反射部を設けて再び導光板内に戻し、導光板の表面部や裏面部に施した光偏向素子によって導光板の外部に出射されるまで光を繰り返し利用することによって高輝度の光を出射することができるとともに光源装置の光源（ＬＥＤ等）を出射面から観測されない光源装置と、この光源装置を用いた平面照明装置や導光板の入射部に近接し光源装置に隣接した位置に散乱反射部を設けたり、ケースに導光板の入射部に近接し光源装置に並設した位置に散乱反射部を設けることによって、光源装置からの光を導光板の入射部から一度導光板内に進入し、入射部に対向する導光板の端面で入射部方向に反射した光を再び導光板に戻すことにより、光源装置からの光を入射部と入射部に対向する反射端面部との間を導光板の表面部や裏面部に施した光偏向素子によって導光板の外部に出射されるまで光を繰り返し利用することによって高輝度で光源装置の光源（ＬＥＤ等）を出射面から観測されない平面照明装置を提供することにある。
【課題を解決するための手段】
【００１１】
上記目的を達成するため、本発明の請求項１に係る光源装置は、開口部の数に対して１つ増した数の散乱反射部を開口部に隣接するとともに開口部表面位置と同等位置に設けることを特徴とする。
【００１２】
請求項１に係る光源装置は、開口部の数に対して１つ増した数の散乱反射部を開口部に隣接するとともに開口部表面位置と同等位置に設けるので、開口部方向に進んできた光を開口部と反対方向に散乱反射することができる。
【００１３】
また、請求項２に係る平面照明装置は、底部に載置した半導体発光素子からの放射光を底部に対向する開口部から出射する開口部の数に対して１つ増した数の散乱反射部を開口部に隣接するとともに開口部表面位置と同等位置に設けた光源装置と、
該光源装置からの出射光を導く入射部と、該入射部の反対側に位置する反射端面部と、光偏向素子が設けられ入射部と反射端面部とに略直角に接続する表面部および裏面部とからなる導光板と、
少なくともこれら光源装置と導光板を収納するケースとを具備し、
光源装置を導光板の入射部に近接し開口部からの光を入射部から導き光偏向素子により導光板の外部に出射した以外の光を反射端面部で入射部方向に反射し、入射部に達した光を散乱反射部で散乱反射して再度導光板内に光を戻して、反射端面部と散乱反射部との光の繰り返しの間に光偏向素子によって表面部および／または裏面部から光を出射することを特徴とする。
【００１４】
請求項２に係る平面照明装置は、底部に載置した半導体発光素子からの放射光を底部に対向する開口部から出射する開口部の数に対して１つ増した数の散乱反射部を開口部に隣接するとともに開口部表面位置と同等位置に設けた光源装置と、
該光源装置からの出射光を導く入射部と、該入射部の反対側に位置する反射端面部と、光偏向素子が設けられ入射部と反射端面部とに略直角に接続する表面部および裏面部とからなる導光板と、
少なくともこれら光源装置と導光板を収納するケースとを具備し、
光源装置を導光板の入射部に近接し開口部からの光を入射部から導き光偏向素子により導光板の外部に出射した以外の光を反射端面部で入射部方向に反射し、入射部に達した光を散乱反射部で散乱反射して再度導光板内に光を戻して、反射端面部と散乱反射部との光の繰り返しの間に光偏向素子によって表面部および／または裏面部から光を出射するので、開口部の数に係わらず光源装置からの光をロスなく全て出射することができる。
【００１５】
さらに、請求項３に係る平面照明装置は、少なくとも１以上の光源装置と、
該光源装置からの出射光を導く入射部と、該入射部の反対側に位置する反射端面部と、光偏向素子が設けられ入射部と反射端面部とに略直角に接続する表面部および裏面部とからなる導光板と、
光源装置の数よりも１つ多く、導光板の入射部に近接するとともに光源装置に並設し反射端面部からの反射光を再び導光板に散乱反射する散乱反射部と、
少なくともこれら光源装置と導光板と散乱反射部を収納するケースとを具備し、
光源装置からの光を導光板の入射部から導き光偏向素子により導光板の外部に出射した以外の光を反射端面部で入射部方向に反射し、入射部に達した光を散乱反射部で散乱反射して再度導光板内に光を戻して、反射端面部と散乱反射部との光の繰り返しの間に光偏向素子によって表面部および／または裏面部から光を出射することを特徴とする。
【００１６】
請求項３に係る平面照明装置は、少なくとも１以上の光源装置と、
該光源装置からの出射光を導く入射部と、該入射部の反対側に位置する反射端面部と、光偏向素子が設けられ入射部と反射端面部とに略直角に接続する表面部および裏面部とからなる導光板と、
光源装置の数よりも１つ多く、導光板の入射部に近接するとともに光源装置に並設し反射端面部からの反射光を再び導光板に散乱反射する散乱反射部と、
少なくともこれら光源装置と導光板と散乱反射部を収納するケースとを具備し、
光源装置からの光を導光板の入射部から導き光偏向素子により導光板の外部に出射した以外の光を反射端面部で入射部方向に反射し、入射部に達した光を散乱反射部で散乱反射して再度導光板内に光を戻して、反射端面部と散乱反射部との光の繰り返しの間に光偏向素子によって表面部および／または裏面部から光を出射するので、開口部の数に係わらず光源装置からの光をロスなく全て出射することができる。
【００１７】
また、請求項４に係る平面照明装置は、少なくとも１以上の光源装置と、
該光源装置からの出射光を導く入射部と、該入射部の反対側に位置する反射端面部と、光偏向素子が設けられ入射部と反射端面部とに略直角に接続する表面部および裏面部とからなる導光板と、
少なくともこれら光源装置と導光板を収納するとともに導光板の入射部に近接し光源装置に隣接した位置に反射端面部からの反射光を再び導光板に散乱反射する散乱反射部を光源装置の数よりも１つ多く設けたケースとを具備し、
光源装置からの光を導光板の入射部から導き光偏向素子により導光板の外部に出射した以外の光を反射端面部で入射部方向に反射し、入射部に達した光を散乱反射部で散乱反射して再度導光板内に光を戻して、反射端面部と散乱反射部との光の繰り返しの間に光偏向素子によって表面部および／または裏面部から光を出射することを特徴とする。
【００１８】
請求項４に係る平面照明装置は、少なくとも１以上の光源装置と、
該光源装置からの出射光を導く入射部と、該入射部の反対側に位置する反射端面部と、光偏向素子が設けられ入射部と反射端面部とに略直角に接続する表面部および裏面部とからなる導光板と、
少なくともこれら光源装置と導光板を収納するとともに導光板の入射部に近接し光源装置に隣接した位置に反射端面部からの反射光を再び導光板に散乱反射する散乱反射部を光源装置の数よりも１つ多く設けたケースとを具備し、
光源装置からの光を導光板の入射部から導き光偏向素子により導光板の外部に出射した以外の光を反射端面部で入射部方向に反射し、入射部に達した光を散乱反射部で散乱反射して再度導光板内に光を戻して、反射端面部と散乱反射部との光の繰り返しの間に光偏向素子によって表面部および／または裏面部から光を出射するので、開口部の数に係わらず光源装置からの光をロスなく全て出射することができる。
【００１９】
さらに、請求項５に係る平面照明装置は、導光板が、表面部から裏面部までの厚さが入射部の方が反射端面部よりも薄いテーパ形状、表面部から裏面部までの厚さが入射部の方が反射端面部よりも厚いテーパ形状、表面部から裏面部までの厚さが入射部と反射端面部とで等しいフラット形状の何れか１つであることを特徴とする。
【００２０】
請求項５に係る平面照明装置は、導光板が、表面部から裏面部までの厚さが入射部の方が反射端面部よりも薄いテーパ形状、表面部から裏面部までの厚さが入射部の方が反射端面部よりも厚いテーパ形状、表面部から裏面部までの厚さが入射部と反射端面部とで等しいフラット形状の何れか１つであるので、何れの導光板でも導光板の中心部分（特に厚さ方向に対する中心部分）を進む光源装置からの光を反射端面部で反射して入射部方向に光を戻す。
【００２１】
特に導光板を表面部から裏面部までの厚さが入射部の方が反射端面部よりも薄いテーパ形状の場合には、光が反射端面部方向に進む時にテーパリークに依る出射光や光偏向素子に到達する確率が多くなる。
【００２２】
また、表面部から裏面部までの厚さが入射部の方が反射端面部よりも厚いテーパ形状の場合には、反射端面部で入射部方向に反射した光が入射部方向に進む時にテーパリークに依る出射光や光偏向素子に到達する確率が多くなる。
【００２３】
また、請求項６に係る平面照明装置は、導光板が、入射部を表面部から裏面部方向に対して傾斜し、光源装置の開口部表面位置に対し非平行になることを特徴とする。
【００２４】
請求項６に係る平面照明装置は、導光板が、入射部を表面部から裏面部方向に対して傾斜し、光源装置の開口部表面位置に対し非平行になるので、光源からの出射光を入射部で表面部方向に屈折または裏面部方向に屈折することができる。
【発明の効果】
【００２５】
請求項１に係る光源装置は、開口部の数に対して１つ増した数の散乱反射部を開口部に隣接するとともに開口部表面位置と同等位置に設けるので、開口部方向に進んできた光を開口部と反対方向に散乱反射することができる。これにより、開口部から広がった光や隣り合う開口部の間や開口部以外に到達した光等を効率良く無駄なく利用することができる。
【００２６】
請求項２に係る平面照明装置は、底部に載置した半導体発光素子からの放射光を底部に対向する開口部から出射する開口部の数に対して１つ増した数の散乱反射部を開口部に隣接するとともに開口部表面位置と同等位置に設けた光源装置と、
該光源装置からの出射光を導く入射部と、該入射部の反対側に位置する反射端面部と、光偏向素子が設けられ入射部と反射端面部とに略直角に接続する表面部および裏面部とからなる導光板と、
少なくともこれら光源装置と導光板を収納するケースとを具備し、
光源装置を導光板の入射部に近接し開口部からの光を入射部から導き光偏向素子により導光板の外部に出射した以外の光を反射端面部で入射部方向に反射し、入射部に達した光を散乱反射部で散乱反射して再度導光板内に光を戻して、反射端面部と散乱反射部との光の繰り返しの間に光偏向素子によって表面部および／または裏面部から光を出射するので、開口部の数に係わらず光源装置からの光をロスなく全て出射することができる。これにより、入射部近傍での開口部付近と非開口部付近との光の斑が無く、さらに例えばＬＥＤ等の光源自身を導光板の出射面側から観測することが無く高輝度の出射光を得ることができる。
【００２７】
請求項３に係る平面照明装置は、少なくとも１以上の光源装置と、
該光源装置からの出射光を導く入射部と、該入射部の反対側に位置する反射端面部と、光偏向素子が設けられ入射部と反射端面部とに略直角に接続する表面部および裏面部とからなる導光板と、
光源装置の数よりも１つ多く、導光板の入射部に近接するとともに光源装置に並設し反射端面部からの反射光を再び導光板に散乱反射する散乱反射部と、
少なくともこれら光源装置と導光板と散乱反射部を収納するケースとを具備し、
光源装置からの光を導光板の入射部から導き光偏向素子により導光板の外部に出射した以外の光を反射端面部で入射部方向に反射し、入射部に達した光を散乱反射部で散乱反射して再度導光板内に光を戻して、反射端面部と散乱反射部との光の繰り返しの間に光偏向素子によって表面部および／または裏面部から光を出射するので、開口部の数に係わらず光源装置からの光をロスなく全て出射することができる。このため、入射部近傍での開口部付近と非開口部付近との光の斑が無く、さらに例えばＬＥＤ等の光源自身を導光板の出射面側から観測することが無く高輝度の出射光を得ることができるとともに複数の光源装置を用いる時に光源装置同士の間隔ピッチに左右されずに効果を得ることができる。
【００２８】
請求項４に係る平面照明装置は、少なくとも１以上の光源装置と、
該光源装置からの出射光を導く入射部と、該入射部の反対側に位置する反射端面部と、光偏向素子が設けられ入射部と反射端面部とに略直角に接続する表面部および裏面部とからなる導光板と、
少なくともこれら光源装置と導光板を収納するとともに導光板の入射部に近接し光源装置に隣接した位置に反射端面部からの反射光を再び導光板に散乱反射する散乱反射部を光源装置の数よりも１つ多く設けたケースとを具備し、
光源装置からの光を導光板の入射部から導き光偏向素子により導光板の外部に出射した以外の光を反射端面部で入射部方向に反射し、入射部に達した光を散乱反射部で散乱反射して再度導光板内に光を戻して、反射端面部と散乱反射部との光の繰り返しの間に光偏向素子によって表面部および／または裏面部から光を出射するので、開口部の数に係わらず光源装置からの光をロスなく全て出射することができる。このため、入射部近傍での開口部付近と非開口部付近との光の斑が無く、さらに例えばＬＥＤ等の光源自身を導光板の出射面側から観測することが無く高輝度の出射光を得ることができるとともにケースに散乱反射部を設けた為に光源装置や導光板等の取り付けに散乱反射部を標準として行うことができる。
【００２９】
請求項５に係る平面照明装置は、導光板が、表面部から裏面部までの厚さが入射部の方が反射端面部よりも薄いテーパ形状、表面部から裏面部までの厚さが入射部の方が反射端面部よりも厚いテーパ形状、表面部から裏面部までの厚さが入射部と反射端面部とで等しいフラット形状の何れか１つであるので、何れの導光板でも導光板の中心部分（特に厚さ方向に対する中心部分）を進む光源装置からの光を反射端面部で反射して入射部方向に光を戻すことができる。
【００３０】
特に導光板を表面部から裏面部までの厚さが入射部の方が反射端面部よりも薄いテーパ形状の場合には、光が反射端面部方向に進む時にテーパリークに依る出射光や光偏向素子に到達する確率が多くなる。
【００３１】
また、表面部から裏面部までの厚さが入射部の方が反射端面部よりも厚いテーパ形状の場合には、反射端面部で入射部方向に反射した光が入射部方向に進む時にテーパリークに依る出射光や光偏向素子に到達する確率が多くなる。これにより、これら導光板の入射部から反射端面部の間を行き来する光が、その間に表面部や裏面部に設けた光偏向素子によって外部に高輝度の光を出射することができる。
【００３２】
請求項６に係る平面照明装置は、導光板が、入射部を表面部から裏面部方向に対して傾斜し、光源装置の開口部表面位置に対し非平行になるので、光源からの出射光を入射部で表面部方向に屈折または裏面部方向に屈折することができる。
【発明を実施するための最良の形態】
【００３３】
以下、本発明の実施の形態を添付図面に基づいて説明する。
なお、本発明は、光を出射する開口部の数に対して１つ増した数の散乱反射部を開口部に隣接するとともに開口部表面位置と同等位置に設けた光源装置と、この光源装置と導光板とを用いた平面照明装置と、光源装置に設けられた散乱反射部を個別に組み込んだ平面照明装置と、ケース自体に散乱反射部を設けた平面照明装置に関するものである。そして、これらの構成により、入射部から導光板内に導いた光源からの出射光を導光板の表面部や裏面部に施した光偏向素子により導光板の外部に出射した以外の光を入射部の反対側に位置する反射端面部で入射部方向に反射し、入射部方向に達した光を散乱反射部で散乱反射して再度導光板内に光を戻して、反射端面部と散乱反射部との光の繰り返しの間に光偏向素子によって表面部および／または裏面部から光を出射している。これにより、開口部の数に係わらず光源装置からの光をロスなく全て出射することができる光源装置および平面照明装置を提供するものである。
【００３４】
図１は本発明に係る光源装置の概略断面図、図２は本発明に係る光源装置の概略正面図、図３は本発明に係る平面照明装置の概略構成を示す分解斜視図、図４は本発明に係る平面照明装置に採用される単体構成の散乱反射部を有する散乱反射部材の概略斜視図、図５は図４の散乱反射部材を用いた平面照明装置の概略平面図、図６は本発明に係る平面照明装置に採用される連結構成の散乱反射部を有する散乱反射部材の概略斜視図、図７は図６の散乱反射部材を用いた平面照明装置の概略平面図、図８は散乱反射部を有するケースの概略斜視図、図９は図８のケースを用いた平面照明装置の概略平面図、図１０（ａ），（ｂ）は本発明に係る光源装置による光の軌跡図、図１１（ａ），（ｂ），（ｃ）は本発明に係る平面照明装置に採用される導光板の略断面図、図１２（ａ），（ｂ）は本発明に係る平面照明装置に採用される導光板の入射部の略断面図と光の軌跡図、図１３は本発明に係る平面照明装置に採用される導光板の光の軌跡図である。
【００３５】
光源装置２は、図１に示すように、光の源である半導体発光素子４を光源装置２の開口部５内側の底部７に載置し、この開口部５の数に対して１つ増した数の散乱反射部６（図１の場合には、開口部５が４つに対して散乱反射部６は開口部５の数に１つ増した数である５つから成る。）を設けた構成である。
【００３６】
また、光源装置２は、開口部５内側の底部７から散乱反射部６までの間が傾斜部８で接続されている。傾斜部８は、図２に示すように、開口部５の各４辺の壁面からなり、この４つの傾斜部８と底部７との各面で囲まれた空間に透明樹脂５ｂ等を充填し、より強く半導体発光素子４を固定するとともに半導体発光素子４からの出射光を空気層に露出せずに光を減衰することなく開口部５から出射する。
【００３７】
さらに、傾斜部８は、半導体発光素子４からの出射光（特に半導体発光素子４の４側面からの出射光も含めて）のうち半導体発光素子４からの直進光以外の光を傾斜部８で反射して開口部５から出射するようにする。
【００３８】
また、傾斜部８の表面は、完全に鏡面でなくとも良く、微細な凹凸を有して広がりの有る反射光を得ることができるとともに充填する透明樹脂との結合（接合）を強度にすることができる。
【００３９】
さらに、図２でもわかるように、光源装置２は、開口部５（１）、開口部５（２）、開口部５（３）、開口部５（４）の各間隔の間に散乱反射部６（１）、散乱反射部６（２）、散乱反射部６（３）、散乱反射部６（４）、散乱反射部６（５）が設けられている。すなわち、図２の例では、開口部５の数（４個）に対して１つ増した数（５個）の散乱反射部６が設けられる。
【００４０】
また、光源装置２は、インジェクションないしトランスファーモルドタイプのものであり、パターンをインサート成形によって樹脂にパターン形状を形成した燐青銅材等からなるリードフレームを挿入してリードフレーム上に成型樹脂３によって形成されている。但し、半導体発光素子４を載置する領域および半導体発光素子４から光を出射する開口部５は何も無い空間である。
【００４１】
尚、光源装置２の本体をなす成型樹脂３は、例えば変成ポリアミド、ポリブチレンテレフタレート、ナイロン４６や芳香族系ポリエステル等からなる液晶ポリマなどの絶縁性の有る材料に、光の反射性を良くするとともに遮光性を得るためにチタン酸バリウム等の白色粉体を混入させたものを加熱射出成形する。また、加熱射出成形する時の金型に於いて、散乱反射部６に対応する部分は、微細な凸凹の加工が施してある。
【００４２】
さらに、ここでは図示しないが、リードフレーム上に載置する半導体発光素子４の出射面側に開口部５を設け、その反対方向側面やその側面側に半導体発光素子４に供給する電源端子等を露出して設ける。
【００４３】
半導体発光素子４は、例えば４元素化合物やＩｎＧａＡｌＰ系、ＩｎＧａＡｌＮ系、ＩｎＧａＮ系等の化合物の半導体チップ等からなる高輝度発光素子で構成される。この半導体発光素子４は、白色光の場合、底部７に無色透明の接着材に黄色発光の波長変換材料である蛍光材を混入させた接着剤を設け、さらにその上部に青色発光の半導体発光素子４を設けて構成することができる。これにより、青色発光の半導体発光素子４自身からの青色の光を直接開口部５方向に出射させ、青色発光の半導体発光素子４から底部７方向に出射した光が波長変換材料に達して半導体発光素子４の青色光によって励起し、黄色発光の蛍光材による黄色の発光した光が底部７で反射して再度半導体発光素子４を通過して開口部５方向に出射する時に、黄色の発光色と青色の発光色との混合によって開口部５から白色の光を出射する。
【００４４】
尚、ここでは図示しないが、光源装置２は、電気的接続をするための電極端子を開口部５の反対側や光源装置２の後方側面に設けたり、リードフレーム端子から直接リード線を接続してリード線を設けても良い。
【００４５】
次に、この光源装置２を用いた平面照明装置１を図３に示す。図３に示すように、平面照明装置１は、光源装置２と、導光板９およびケース１６からなる構成である。
【００４６】
導光板９は、光を導く入射部１０と、入射部１０の反対側に位置する反射端面部１１と、これら入射部１０と反射端面部１１と側面部１２とに略直角に接続する表面部１３および裏面部１４からなり、表面部１３や裏面部１４には光偏向素子１５が設けられる。この導光板９の入射部１０には、光源装置２が入射部１０に近接して配置される。これにより、光源装置２の開口部５からの光が導光板９の入射部１０に導かれる。
【００４７】
導光板９は、屈折率が１．４〜１．７程度の透明なアクリル樹脂（ＰＭＭＡ）やポリカーボネート（ＰＣ）等で形成され、表面部１３と裏面部１４との間の距離（導光板９の厚さ）が入射部１０で最小（薄く）になり、入射部１０から最大離距離（入射部１０の反対側に位置する反射端面部１１）において距離（厚さ）が最大（厚く）になるような形状を有する。故に、光源装置２は、導光板９の厚さが薄い入射部１０の近傍に配置し、光源装置２の反対側（最大離距離）が導光板９の厚さが厚い配置となる。
【００４８】
導光板９の表面部１３や裏面部１４に光偏向素子１５を設けて入射部１０からの入射光が入射部１０の反対側に位置する反射端面部１１に進む間では、導光板９が楔形状であっても臨界角を破る光線は無く反射端面部１１で全反射をして、再度入射部１０方向に光線が進む時に光偏向素子１５により屈折等を行い、臨界角を破り表面部１３から出射することができる。
【００４９】
また、図１３に示すように、導光板９に入射した光は、屈折角γが０≦｜γ｜≦Ｓｉｎ-1（１／ｎ）の式を満たす範囲で導光板９内に進み、例えば一般の導光板９に使用されている樹脂材料であるアクリル樹脂の屈折率がｎ＝１．４９程度であるので、入射部１０の表面部１３方向から裏面部１４方向への光および裏面部１４方向から表面部１３方向への光が最大入射角９０°となる。そして、入射部１０で屈折する屈折角γはγ＝０〜±４２°程度の範囲内になる。但し、表面部１３近傍では裏面部１４方向のみのγ＝−４２°のみ、裏面部１４近傍では表面部１３方向のみのγ＝＋４２°のみとなる。
【００５０】
さらに、屈折角γ＝０〜±４２°の範囲内で導光板９内に入射した光は、導光板９と空気層（屈折率ｎ＝１）との境界面において、Ｓｉｎα＝（１／ｎ）の式により臨界角を表すことができる。例えば一般の導光板９に使用されている樹脂材料であるアクリル樹脂の屈折率はｎ＝１．４９程度であるので、臨界角αがα＝４２°程度になり、導光板９の表面部１３や裏面部１４に光線を偏向する凸や凹等が無かったり、臨界角αを越えなければ導光板９内の光は表面部１３や裏面部１４で全て全反射しながら反射端面部１１方向へ進むことになる。
【００５１】
しかし、本図３および図１３の導光板９は、導光板９の厚さ（導光板９の表面部１３と裏面部１４との間の距離）が入射部１０から入射部１０の反対側に位置する反射端面部１１に向かう程（入射部１０から最大離距離）に導光板９の厚さが厚く入射光Ｌｎ１が入射部１０の反対側に位置する反射端面部１１に進む間に導光板９が楔形状であっても臨界角を破る光線が無い。従って、表面部１３や裏面部１４で全反射を繰り返した光線Ｌｎ２は反射端面部１１で全反射をして、再度入射部１０方向に光線Ｌｎ３が進む時に光偏向素子１５により屈折等を行って臨界角を破り、表面部１３から光線Ｌｎ４を出射することができる。尚、ここでは光偏向素子１５について、凸形状および凹形状について記したが、何れも凸形状や凹形状の傾斜面で屈折し外部に出射する。
【００５２】
さらに、先に説明したように、光源装置２は、開口部５に隣接した散乱反射部６を設けた構造であるので、図１０（ａ）に示すように、光源装置２の傾斜部８等により開口部５から広がりを持った光が導光板９の入射部１０から進入し、この進入した光が同様に広がりを持った光Ｌｄ１，Ｌｄ２の幅で導光板９内を進み、導光板９の反射端面部１１で反射し、再度入射部１０方向に広がりを持った光で反射する。
【００５３】
反射端面部１１で入射部１０方向に広がりを持って反射した光のうちの一部の光、例えば図１０（ｂ）に示す反射端面部１１で反射した光Ｌｒｅ１は、導光板９の入射部１０に達し、入射角度が小さいために入射部１０では反射せずに透過して、光源装置２に達する。
【００５４】
この時、光源装置２の散乱反射部６に達した光は散乱反射部６によって散乱反射され、この反射光が再び導光板９内に光Ｌｒａ１として反射端面部１１方向に進む。但し、この光Ｌｒａ１は、散乱反射した光の一部であり、実際には広がりを持って導光板９内を進む。
【００５５】
また、広がりを持った光Ｌｄ１，Ｌｄ２の幅で導光板９内を進んだ光のうち導光板９の側面部１２で反射した光Ｌｒは、再度入射部１０に達し、入射角度が小さいために入射部１０では反射せずに透過して、光源装置２に達する。
【００５６】
この時、光源装置２の散乱反射部６に達した光は散乱反射部６によって散乱反射され、この反射光が再び導光板９内に光Ｌｒａ２として反射端面部１１方向に進む。先と同様に、この光Ｌｒａ２は、散乱反射した光の一部であり、実際には広がりを持って導光板９内を進む。
【００５７】
このように、光源装置２から出射され、導光板９内に進入して光偏向素子１５等に到達した光は外部に出射し、残りの光は導光板９内を全反射を繰り返しながら進み、導光板９の反射端面部１１に達して、そこで反射し入射部１０方向に戻されながら光偏向素子１５等に到達した光は外部に出射し、残りの光は入射部１０から光源装置２に出射して、光源装置２の散乱反射部６によって散乱反射され反射光を再び導光板９内に戻す。これらの繰り返しを行って光源装置２からの出射光を無駄なく導光板９の外部に出射することができる。
【００５８】
そのため、光源装置から光をロスなく全て出射することができる。これにより、高輝度の光を出射することができ、導光板９内と光源装置２の散乱反射部６の間を繰り返すことによって輝度斑の発生が無く、一般にＬＥＤ光源を使用した場合に導光板の出射面側からＬＥＤ等の光源自身を観測するが、これらの輝度差を無くすため光源装置２のＬＥＤ等の光源自身を導光板９の出射面１３（１４）側から観測することが無い。
【００５９】
さらに、本発明の導光板９は、図示しないが表面部１３や裏面部１４に光偏向素子１５を入射部１０に近づくほど光偏向素子１５の数量または面積が増加するように設けても良く、このようにすることによって最初に光源装置２からの入射部１０から入射した光は導光板９の表面部１３や裏面部１４に達しても臨界角αに達する光が存在せず、表面部１３や裏面部１４で全反射を繰り返しながら入射部１０の反対側の反射端面部１１に進み、反射端面部１１で全反射し、再度入射部１０方向に進んだ光が導光板９の厚さが徐々に薄くなり、臨界角αを破る光線や臨界角αに近い光線等が多く存在し、反射端面部１１から入射部１０に戻る間に臨界角α付近の光線が光偏向素子１５の傾斜面によって屈折等を引き起こし出射面（表面部１３）から出射する。
【００６０】
上記説明には図１３での導光板９を用いて説明したが、導光板９は図１１（ａ）〜（ｃ）に示す形状の異なるものを採用できる。図１１（ａ）に示す導光板９は、入射部１０と入射部１０の反対側に位置する反射端面部１１との厚さが同じで、表面部１３と裏面部１４との間の距離（導光板９の厚さ）が常に一定である。
【００６１】
また、図１１（ｂ）に示す導光板９は、入射部１０と入射部１０の反対側に位置する反射端面部１１との厚さが異なり、入射部１０側が厚く、反射端面部１１側の方が薄く、表面部１３と裏面部１４との間の距離（導光板９の厚さ）が入射部１０で最大（厚く）になり、入射部１０から最大離距離（入射部１０の反対側に位置する反射端面部１１）において距離（厚さ）が最小（薄く）になるような形状を有している。故に、光源装置２は、導光板９の厚さが厚い入射部１０の近傍に配置し、光源装置２の反対側（最大離距離）が導光板９の厚さが薄い配置となる。
【００６２】
さらに、図１１（ｃ）に示す導光板９は、入射部１０と入射部１０の反対側に位置する反射端面部１１との厚さが異なり、入射部１０側が薄く、反射端面部１１側の方が厚く、表面部１３と裏面部１４との間の距離（導光板９の厚さ）が入射部１０で最小（薄く）になり、入射部１０から最大離距離（入射部１０の反対側に位置する反射端面部１１）において距離（厚さ）が最大（厚く）になるような形状を有している。故に、光源装置２は、導光板９の厚さが薄い入射部１０の近傍に配置し、光源装置２の反対側（最大離距離）が導光板９の厚さが厚い配置となる。
【００６３】
以上のように導光板９の形状が異なっても、テーパーリークや光偏向素子１５による出射の確率（光源装置２からの出射光に対する時間的変化）が多少変わるが、最終的には導光板９内を行き来している間に全ての光を出射することが出来る。
【００６４】
さらに、ここで導光板９の入射部１０の略断面形状を図１２に示すとともに光の軌跡図を示す。光源装置２からの出射光Ｌ０が導光板９の入射部１０から導光板９内に導かれ、導光板９内に進み、反射端面部１１で反射され入射部１０に戻り、入射部１０から光源装置２の散乱反射部６で散乱反射され、再び導光板９に戻る時等の過程において、光源装置２からの入射時の入射角と、戻り反射光の入射部１０からの出射角と、散乱反射部６からの再度の入射時の入射角とに対しての変化を与えて出射面への偏向をコントロールするようにする。
【００６５】
例えば図１２（ａ）では入射部１０が表面部１３から裏面部１４方向に対して表面部１３の方が裏面部１４より突出した傾斜入射部１０ａを有し、光源装置２の開口部５からの出射光Ｌ０が傾斜入射部１０ａで裏面部１４方向に屈折する。この屈折光Ｌａ１は、裏面部１４が鏡面の場合、裏面部１４で反射して光線Ｌａ２として反射端面部１１方向に向かう。
【００６６】
また、屈折光Ｌａ１が裏面部１４に存在する光偏向素子１５によって屈折した場合には光線Ｌａ３として導光板９の裏面部１４から出射する。さらに、屈折光Ｌａ１が裏面部１４に存在する光偏向素子１５によって反射した場合には光線Ｌａ４として導光板９の表面部１３方向に進み、表面部１３への入射角が小さければ表面部１３から出射する。
【００６７】
同様に、例えば図１２（ｂ）では入射部１０が表面部１３から裏面部１４方向に対して裏面部１４の方が表面部１３より突出した傾斜入射部１０ｂを有し、光源装置２の開口部５からの出射光Ｌ０が傾斜入射部１０ｂで表面部１３方向に屈折する。この屈折光Ｌｂ１は、表面部１３が鏡面の場合、表面部１３で反射して光線Ｌｂ２として反射端面部１１方向に向かう。
【００６８】
また、屈折光Ｌｂ１が表面部１３に存在する光偏向素子１５によって屈折した場合には光線Ｌｂ３として導光板９の表面部１３から出射する。さらに、屈折光Ｌｂ１が表面部１３に存在する光偏向素子１５によって反射した場合には光線Ｌｂ４として導光板９の裏面部１４方向に進み、裏面部１４への入射角が小さければ裏面部１４から出射する。
【００６９】
このように、導光板９の入射部１０が光源装置２の開口部５表面位置に対し非平行になるので、光源装置２の開口部５からの出射光を入射部１０で表面部１３方向に屈折または裏面部１４方向に屈折することができる。このため、光源装置２からの出射光全体を裏面部１４方向や表面部１３方向に偏向することができる。
【００７０】
また、反射端面部１１から入射部１０に戻る間に出射面（表面部１３）から出射され入射部１０に近づくほど（戻るほど）光量の減衰等に対応させて一層多数の光線を出射面（表面部１３）から出射するために入射部１０に近づくほど出射させる光量を多くする必要があるので、入射部１０に近づくほど光偏向素子１５の数量または面積が増加することにより均一な出射光を得ることができる。
【００７１】
ところで、散乱反射部６は上述した光源装置２に以外に設けることもできる。図４乃至図７は散乱反射部６を有する散乱反射部材６（ｂ）の構成例を示している。図４は単体構成の散乱反射部６を有する散乱反射部材６（６ｂ）の概略斜視図、図５は図４の散乱反射部材を用いた平面照明装置の概略平面図、図６は多連で一体化された連結構成の散乱反射部６を有する散乱反射部材６（６ｂ）の概略斜視図、図７は図６の散乱反射部材を用いた平面照明装置の概略平面図である。
【００７２】
図４及び図６に示す散乱反射部材６（６ｂ）は、アクリル樹脂（ＰＭＭＡ）やポリカーボネート（ＰＣ）等の熱可塑性樹脂を成形し、酸化チタンのような白色材料を混入させて反射効率を上げている。また、散乱反射部材６（６ｂ）は、金属蒸着等を施して反射性を得るとともに散乱反射させるために微細な凸凹の加工が施された散乱反射部６を有している。この散乱反射部材６（６ｂ）は、平面照明装置を構成する際、光源装置２の開口部５の表面位置と同等位置に散乱反射部６が一致するとともに導光板９の入射部１０に近接するように配置される。
【００７３】
図４の散乱反射部材６（６ｂ）は、一端面に散乱反射部６を有する枠状に形成され、散乱反射部６部分のみに微細な凸凹の加工を施し、反射性の有る白色や金属蒸着等を施して有る。散乱反射部６の反対側に対向する位置には、例えば図５に示すようなケース１６の内側端部（平面照明装置や液晶表示装置等に必要な寸法）に応じて端部６ｂｅを設け、これら散乱反射部６と端部６ｂｅとの間の両側が側面６ｂｓで接続してある。
【００７４】
この散乱反射部材６（６ｂ）を使用する時は、例えば図５に示すように、ケース１６内の上半部に導光板９が配置され、この導光板９の入射部１０側に３つの光源装置５が所定間隔をおいて配置される場合に、各光源装置５の間及び最終両端部に散乱反射部６が位置して散乱反射部材６（６ｂ）を配置する。なお、図５において、ケース１６内の各散乱反射部材６（６ｂ）の対向する側面６ｂｓ間、各散乱反射部材６（６ｂ）の散乱反射部６と端部６ｂｅと両側面６ｂｓで囲まれる部分のスペースには、例えば電子部品等を載置することができる。また、これら散乱反射部材６（６ｂ）によって導光板９のストッパの役割を果たすことができる。さらに、単体光源装置２（１つの開口部５）では、光源装置５の光出射面側の両端に散乱反射部６が位置して散乱反射部材６（６ｂ）を配置する。このように、図４に示す散乱反射部材６（６ｂ）は、光源装置２の数に左右されずに自由に用いることができる。
【００７５】
図６の散乱反射部材６（６ｂ）は、片端面に散乱反射部６を複数有する櫛歯状に形成され、散乱反射部６部分のみに微細な凸凹の加工を施し、反射性の有る白色や金属蒸着等を施してある。散乱反射部６の反対側に対向する位置には、例えば図７に示すようなケース１６の内側端部（平面照明装置や液晶表示装置等に必要な寸法）に応じて複数の散乱反射部６を接続した端部６ｂｅを設けるとともに各散乱反射部６と端部６ｂｅ間を各側面６ｂｓで接続して一体化に成形されている。
【００７６】
この散乱反射部材６（６ｂ）を使用する時は、例えば図７に示すように、ケース１６内の上半部に導光板９が配置され、この導光板９の入射部１０側に２つの光源装置５が所定間隔をおいて配置される場合に、２つの光源装置５の両側に散乱反射部６が位置して散乱反射部材６（６ｂ）を配置する。なお、図７において、ケース１６内の各散乱反射部材６（６ｂ）の対向する側面６ｂｓ間、各散乱反射部材６（６ｂ）の散乱反射部６と端部６ｂｅと両側面６ｂｓで囲まれる部分のスペースには、例えば電子部品等を載置することができる。また、これら散乱反射部材６（６ｂ）によって導光板９のストッパの役割を果たすことができる。
【００７７】
さらに、図８はケース１６に散乱反射部６（６ｃ）を設けた構成例、図９は図８のケース１６を用いた平面照明装置の概略平面図を示している。図８に示す散乱反射部６（６ｃ）は、ケース１６の内側底部１６ｂに光源装置２を載置するスペース（飛び飛びの状態）を確保し、光源装置２の開口部５の表面位置と同等位置に散乱反射部６（６ｃ）が一致するとともに導光板９の入射部１０に近接するようにケース１６と一体化成形し、導光板９の入射部１０に対向する位置に微細な凸凹の加工を施し、反射性の有る白色や金属蒸着等を施してある。
【００７８】
この散乱反射部６（６ｃ）を設けたケース１６を使用する時は、例えば図９に示すように、散乱反射部６（６ｃ）間に光源装置５が配置され、光源装置５の光出射面側のケース１６内の上半部に導光板９が配置される。なお、図９において、ケース１６の下半部のスペースには、例えば電子部品等を載置することができる。
【００７９】
また、ここでは図示しないが、これら散乱反射部６（６ｃ）および光源装置２ならびに導光板９などをケース１６に載置した方法であるが、電気回路や電子部品載置等を設ける絶縁基板上に、これら散乱反射部６（６ｃ）および光源装置２ならびに導光板９を載置しても良い。
【００８０】
ケース１６は、強度を有した熱可塑性樹脂に例えば酸化チタンのような白色材料を混入した樹脂や熱可塑性樹脂等のプラスチック樹脂やアルミダイキャスト等の金属などから成形され、導光板９や光源装置２（場合によっては散乱反射部６）等を収納し、場合によっては上部に図示しない拡散体を載置する。
【００８１】
尚、ここでは図示しないが、拡散体は、透明なアクリル樹脂（ＰＭＭＡ）やポリカーボネート（ＰＣ）等からなり、表面や裏面に微細な凹凸を施している。これにより、導光板９から出射された光がこの拡散体を通過するときに１つの光束をランダムな方向に拡散させ、強い輝度部や暗部等を目立たなくすることができる。
【００８２】
このように、本発明は光源装置の開口部から放射した光を導光板の入射部から一度導光板内に進入し、入射部の反対側に対向する導光板の反射端面部方向に進ませ、反射端面部で反射された光を入射部方向に戻す過程の中で表面や裏面などから外部に出射されない残存光を一度、導光板の入射部から出射し、光源装置に設けた散乱反射部や平面照明装置内に組み込んだ散乱反射部や平面照明装置のケース自体に設けた散乱反射部等によって、導光板からの出射光を再び導光板に散乱反射して戻すことにより、光源装置からの光を反射端面部と散乱反射部との光の繰り返しの間に導光板の表面部や裏面部に施した光偏向素子によって導光板の外部に出射されるまで光を繰り返し利用することによって光源装置からの光をロスなく全て出射することができるために高輝度で光源装置の光源（ＬＥＤ等）を出射面から観測される事がない光源装置および平面照明装置である。
【図面の簡単な説明】
【００８３】
【図１】本発明に係る光源装置の概略断面図である。
【図２】本発明に係る光源装置の概略正面図である。
【図３】本発明に係る平面照明装置の概略構成を示す分解斜視図である。
【図４】本発明に係る平面照明装置に採用される単体構成の散乱反射部を有する散乱反射部材の概略斜視図である。
【図５】図４の散乱反射部材を用いた平面照明装置の概略平面図である。
【図６】本発明に係る平面照明装置に採用される連結構成の散乱反射部を有する散乱反射部材の概略斜視図である。
【図７】図６の散乱反射部材を用いた平面照明装置の概略平面図である。
【図８】散乱反射部を有するケースの概略斜視図である。
【図９】図８のケースを用いた平面照明装置の概略平面図である。
【図１０】（ａ），（ｂ）  本発明に係る光源装置による光の軌跡図である。
【図１１】（ａ），（ｂ），（ｃ）  本発明に係る平面照明装置に採用される導光板の略断面図である。
【図１２】（ａ），（ｂ）  本発明に係る平面照明装置に採用される導光板の入射部の略断面図と光の軌跡図である。
【図１３】本発明に係る平面照明装置に採用される導光板の光の軌跡図である。
【符号の説明】
【００８４】
１  平面照明装置
２  光源装置
３  成型樹脂
４  半導体発光素子
５（５（１）〜５（４））  開口部
５ｂ  透明樹脂
６（６（１）〜６（５）），６（６ｃ）  散乱反射部
６（６ｂ）  散乱反射部材
６ｂｅ  端部
６ｂｓ  側面
７  底部
８  傾斜部
９  導光板
１０  入射部
１０ａ，１０ｂ  傾斜入射部
１１  反射端面部
１２  側面部
１３  表面部
１４  裏面部
１５  光偏向素子
１６  ケース
１６ｂ  内側底部
γ  屈折角
ｎ  屈折率
α  臨界角
Ｌｎ１，Ｌ０  入射光
Ｌｎ２，Ｌｎ３，Ｌｎ４  光線
Ｌｄ１，Ｌｄ２，Ｌｒｅ１，Ｌｒａ１，Ｌｒ，Ｌｒａ２  光
Ｌａ１．Ｌａ２，Ｌａ３，Ｌａ４，Ｌｂ１，Ｌｂ２，Ｌｂ３，Ｌｂ４  屈折光
【図１】
2005302322.tif 000003
【図２】
2005302322.tif 000004
【図３】
2005302322.tif 000005
【図４】
2005302322.tif 000006
【図５】
2005302322.tif 000007
【図６】
2005302322.tif 000008
【図７】
2005302322.tif 000009
【図８】
2005302322.tif 000010
【図９】
2005302322.tif 000011
【図１０】
2005302322.tif 000012
【図１１】
2005302322.tif 000013
【図１２】
2005302322.tif 000014
【図１３】
2005302322.tif 000015